(57)【要約】【課題】各運転モードの切り換えに伴って装置流路内発生するデッドスペースなどの部分の汚れた高温水を排出でき、レジオネラ属菌などの繁殖を効果的に抑制して安全性に優れ、高温排水で排水管を劣化させることがない浴槽水の処理方法を提供する。【解決手段】（Ａ）濾過器及び熱交換器に流して濾過加熱処理を行って浴槽水を浴槽内に供給する濾過加熱工程と、（Ｂ）浴槽水処理装置内の循環流路に熱交換器で所定温度に加熱された浴槽水を循環させる加熱循環洗浄工程と、（Ｃ）浴槽水を吸引してその一部を濾過加熱工程と逆方向から流した後、その残部と合流させて外部に排出させる調温排水逆洗工程と、（Ｄ）循環流路に貯留された浴槽水をポンプ部を介して循環させる非加熱循環洗浄工程と、（Ｅ）浴槽内の浴槽水を吸引して濾過加熱工程と逆方向から濾過器に内蔵された濾過材に流して外部に排出させる非調温排水逆洗工程と、を有して浴槽水の処理方法とする。【選択図】  図２
2004209446.tif 000002
【特許請求の範囲】
【請求項１】
浴槽内に貯留された浴槽水を取り込んで濾過加熱処理を行い、この処理された浴槽水を前記浴槽内に循環供給する浴槽水処理装置を用いた浴槽水の処理方法であって、
（Ａ）前記浴槽水をポンプ部を介して濾過器及び熱交換器に流して濾過加熱処理を行って所定温度に調整浄化された浴槽水を前記浴槽内に供給する濾過加熱工程と、
（Ｂ）前記濾過加熱工程に続いて前記浴槽水処理装置内の循環流路に前記熱交換器で所定温度に加熱された浴槽水を前記ポンプ部を介して循環させる加熱循環洗浄工程と、
（Ｃ）前記浴槽内の浴槽水を前記ポンプ部を介して吸引してその一部を前記濾過加熱工程と逆方向から前記濾過器に内蔵された濾過材に流した後、その残部と合流させて外部に排出させる調温排水逆洗工程と、
（Ｄ）前記調温排水逆洗工程を所定時間実施した後、前記浴槽水処理装置内の循環流路に貯留された浴槽水を前記ポンプ部を介して循環させる非加熱循環洗浄工程と、
（Ｅ）前記非加熱循環洗浄工程を所定時間実施した後、前記浴槽内の浴槽水を前記ポンプ部を介して吸引して前記濾過加熱工程と逆方向から前記濾過器に内蔵された濾過材に流して外部に排出させる非調温排水逆洗工程と、を有することを特徴とする浴槽水の処理方法。
【請求項２】
吸引口が浴槽内に配置された吸引管からポンプ部を介して取り込まれた浴槽水を濾過器及び熱交換器に供給して、濾過加熱処理された浴槽水をその供給口が浴槽内に配置された供給管に供給する浴槽水処理装置であって、
（Ａ）前記吸引管の浴槽水排出端にその一分岐部が連結されると共に他方の二分岐部に前記熱交換器の下流部と前記供給管とに連結されるバイパス管及び前記ポンプ部の吸水管がそれぞれ接続される第１の電動三方弁と、
（Ｂ）濾過材が内部に充填された前記濾過器の上部にその一分岐部が連結されると共に他方の二分岐部に前記ポンプ部の吐水管及び浴槽水を外部に排出する排水管がそれぞれ連結される第２の電動三方弁と、
（Ｃ）前記濾過器の下部にその一分岐部が連結されると共に他方の二分岐部に前記ポンプ部の吐水管及び前記熱交換器の上流部がそれぞれ連結される第３の電動三方弁と、
（Ｄ）前記第１〜第３の電動三方弁のそれぞれの連通状態を選択制御して複数の運転モードを設定し、各運転モードを所定パターンで切り換える制御部と、を備えたことを特徴とする浴槽水処理装置。
【請求項３】
前記ポンプ部の吐水管及び、外部に浴槽水を排出する前記排水管とをそれぞれの分岐部を介して連結する分流配管と、前記分流配管に設けられ前記制御部により制御される流量調整弁とを有することを特徴とする請求項２に記載の浴槽水処理装置。
【請求項４】
前記運転モードには、前記浴槽水を前記濾過器及び前記熱交換器で濾過加熱処理して浴槽に供給する濾過加熱運転モードと、前記バイパス管を含む装置内流路に前記熱交換器で加熱された浴槽水を循環させて殺菌する熱殺菌運転モードと、前記濾過器に前記浴槽水を前記濾過加熱運転モードと逆方向から流して前記排水管から外部に排出させる逆洗運転モードとが含まれ、前記濾過加熱運転モード、前記高温殺菌運転モード、前記逆洗運転モードをそれぞれ所定時間間隔で順に実施した後、前記熱殺菌運転モードと前記逆洗運転モードとを連続して所定時間実施する運転サイクルの制御プログラムが前記制御部にロードされていることを特徴とする請求項２又は３に記載の浴槽水処理装置。
【請求項５】
前記濾過器に逆止弁構造を有する自動エア抜き弁を設けたことを特徴とする請求項２〜４の内いずれか１項に記載の浴槽水処理装置。
【発明の詳細な説明】
【０００１】
【発明の属する技術分野】
この発明は、装置内の濾過流路内などに繁殖しやすい雑菌を熱殺菌することのできる浴槽水処理装置に適用される浴槽水の処理方法、及び浴槽水処理装置に関する。
【０００２】
【従来の技術】
従来、浴槽内の浴槽水を循環濾過させながら設定温度に保温して、長時間浴湯の入れ替えをすることなく、常時、入浴可能な状態を保つことのできる浴湯循環濾過装置が使用され、風呂準備の手間がかからず、かつ、節水効果もあることから需要を伸ばしてきた。
【０００３】
この一般的な構成の浴湯循環濾過装置は、例えば、装置本体内に浴湯流路を介して連通連結する循環ポンプと濾過器と熱交換器（ヒータ）とを配設し、浴湯流路の一端に浴槽内の浴湯吸入口を連通させ、他端には同じく浴槽内に浴湯吐出口を設けて、両者を連通連結して浴湯循環流路を形成している。
【０００４】
ところが、上記構成の浴湯循環濾過装置では、浴槽水の循環流路中に配設された濾過器内の濾過材などに浴湯中の塵や垢が付着して肺炎を誘発するレジオネラ属菌などが増殖しやすくなるおそれがあった。特に２４時間にわたって使用される温泉や公衆浴場などにおいては、レジオネラ属菌の増殖を防止することが大きな課題となっている。
【０００５】
このような浴槽水中のレジオネラ属菌などの雑菌を殺菌する方法として、次亜塩素酸ナトリウムや過酸化水素、二酸化塩素などの薬品類を用いて浴湯流路を殺菌するようにした化学殺菌方法が知られている。しかし、これらの化学殺菌方法はいずれも薬品コストが嵩む点や、薬剤処理の煩雑さや危険性などの取り扱いの点で問題があった。このため、循環流路などに高温水を流すことによって、流路に付着したレジオネラ属菌などの雑菌を熱殺菌する方法が提案されている。
【０００６】
例えば特許文献１には、浴湯循環流路中に配設した循環ポンプと濾過器とヒータとを、浴槽の近傍に設置可能とした装置本体内に収納配設し、浴槽内の浴湯を循環しながら加温・濾過可能とした浴湯循環濾過装置において、前記循環ポンプと濾過器との間に流路切換弁を設け、同流路切換弁により流路を切り換えて濾過運転、逆洗運転、洗浄運転を行えるようにすると共に、前記浴湯循環流路の往路側と復路側との間にバイパス流路を設け、装置本体内に、バイパス流路と循環ポンプと濾過器とヒータとを含む循環閉流路を形成し、同循環閉流路内の浴湯を、一定温度以上で一定時間循環させる熱殺菌運転を行えるようにした浴湯循環濾過装置が提案されている。
【０００７】
【特許文献１】
特開平１０−２９２９４７号公報
【０００８】
【発明が解決しようとする課題】
特許文献１に記載されているように従来の浴湯循環濾過装置及びこれに適用される浴槽水の処理方法は、濾過運転と逆洗運転などの各運転モードに変更する際に、流路切換弁を切り換えて浴槽水を濾過器に流して内部の汚れを洗い流して外部に排出するようにしている。ところが、このときパイプ配管内に水の流れることがないデッドスペースが生じ、洗浄が不完全となるため、汚れ及び菌類の死骸等が完全に排出されないという課題があった。
【０００９】
また、加熱操作により濾過器や循環流路内に溜まった高温の浴槽水が洗浄工程で耐熱性に乏しい排水管に流れ込み、排水管が変形したり接合部が外れたりして水漏れなどのトラブルが発生するという課題があった。
【００１０】
本発明は上記課題を解決するためになされたもので、各運転モードの切り換えに伴って装置流路内に発生するデッドスペース部分の汚れた高温水を排出でき、レジオネラ属菌などの繁殖を効果的に抑制して安全性に優れ、高温排水で排水管を劣化させることがない浴槽水の処理方法を提供すると共に、その制御が容易で動作安定性と信頼性に優れた浴槽水処理装置を提供することを目的とする。
【００１１】
【課題を解決するための手段】
上記課題を解決するため請求項１記載の発明は、浴槽内に貯留された浴槽水を取り込んで濾過加熱処理を行い、この処理された浴槽水を前記浴槽内に循環供給する浴槽水処理装置を用いた浴槽水の処理方法であって、（Ａ）前記浴槽水をポンプ部を介して濾過器及び熱交換器に流して濾過加熱処理を行って所定温度に調整浄化された浴槽水を前記浴槽内に供給する濾過加熱工程と、（Ｂ）前記濾過加熱工程に続いて前記浴槽水処理装置内の循環流路に前記熱交換器で所定温度に加熱された浴槽水を前記ポンプ部を介して循環させる加熱循環洗浄工程と、（Ｃ）前記浴槽内の浴槽水を前記ポンプ部を介して吸引してその一部を前記濾過加熱工程と逆方向から前記濾過器に内蔵された濾過材に流した後、その残部と合流させて外部に排出させる調温排水逆洗工程と、（Ｄ）前記調温排水逆洗工程を所定時間実施した後、前記浴槽水処理装置内の循環流路に貯留された浴槽水を前記ポンプ部を介して循環させる非加熱循環洗浄工程と、（Ｅ）前記非加熱循環洗浄工程を所定時間実施した後、前記浴槽内の浴槽水を前記ポンプ部を介して吸引して前記濾過加熱工程と逆方向から前記濾過器に内蔵された濾過材に流して外部に排出させる非調温排水逆洗工程と、を有している。
【００１２】
これによって各工程の切り換え時に生じる装置流路内のデッドスペースの汚れた高温水を排出できると共に、調温排水逆洗工程を有するので、高温排水の流れ込みによる排水管の変形や脱落などのトラブルがなくメンテナンス性にも優れている。
【００１３】
請求項２記載の浴槽水処理装置は、吸引口が浴槽内に配置された吸引管からポンプ部を介して取り込まれた浴槽水を濾過器及び熱交換器に供給して、濾過加熱処理された浴槽水をその供給口が浴槽内に配置された供給管に供給する浴槽水処理装置であって、（Ａ）前記吸引管の浴槽水排出端にその一分岐部が連結されると共に他方の二分岐部に前記熱交換器の下流部と前記供給管とに連結されるバイパス管及び前記ポンプ部の吸水管がそれぞれ接続される第１の電動三方弁と、（Ｂ）濾過材が内部に充填された前記濾過器の上部にその一分岐部が連結されると共に他方の二分岐部に前記ポンプ部の吐水管及び浴槽水を外部に排出する排水管がそれぞれ連結される第２の電動三方弁と、（Ｃ）前記濾過器の下部にその一分岐部が連結されると共に他方の二分岐部に前記ポンプ部の吐水管及び前記熱交換器の上流部がそれぞれ連結される第３の電動三方弁と、（Ｄ）前記第１〜第３の電動三方弁のそれぞれの連通状態を選択制御して複数の運転モードを設定し、各運転モードを所定パターンで切り換える制御部と、を備えている。これによって簡単な構造の電動三方弁を用いて全体の制御を容易に行えると共に、動作安定性と信頼性に優れた浴槽水の処理装置を提供できる。
【００１４】
請求項３に記載の浴槽水処理装置は、請求項２に記載の発明において、前記ポンプ部の吐水管及び、外部に浴槽水を排出する前記排水管とをそれぞれの分岐部を介して連結する分流配管と、前記分流配管に設けられ前記制御部により制御される流量調整弁とを有している。これによって、分流配管を介して浴槽水の一部を所定比率で分流させて濾過器に流すことができ、排水管から排出される排水温度を調整でき、排水配管系が高温水で熱変形するのを防止して、そのメンテナンスを容易にできる。
【００１５】
請求項４記載の発明は、請求項２又は３に記載の浴槽水処理装置において、前記運転モードには、前記浴槽水を前記濾過器及び前記熱交換器で濾過加熱処理して浴槽に供給する濾過加熱運転モードと、前記バイパス管を含む装置内流路に前記熱交換器で加熱された浴槽水を循環させて殺菌する熱殺菌運転モードと、前記濾過器に前記浴槽水を前記濾過加熱運転モードと逆方向から流して前記排水管から外部に排出させる逆洗運転モードとが含まれ、前記濾過加熱運転モード、前記高温殺菌運転モード、前記逆洗運転モードをそれぞれ所定時間間隔で順に実施した後、前記熱殺菌運転モードと前記逆洗運転モードとを連続して所定時間実施する運転サイクルの制御プログラムが前記制御部にロードされている。これによって、制御部にロードされた制御プログラムにしたがって、所定の手順で各運転モードを切り換えることにより、各運転モードにおいて流路内に生じる淀み部分にも加熱された浴槽水を流すことができ、さらに効率的に流路内の洗浄や殺菌を行うことができる。
【００１６】
請求項５記載の発明は、請求項２〜４の内いずれか１項に記載の浴槽水処理装置において、前記濾過器に逆止弁構造を有する自動エア抜き弁を設けている。これによって、浴槽が濾過器より下部にある場合やポンプ圧などが変動する場合であっても、空気が流入することがなく、落水防止となり、浴槽水処理装置を安定的に作動させることができる。
【００１７】
【発明の実施の形態】
（実施の形態１）
本発明の浴槽水の処理方法は、（Ａ）浴槽水をポンプ部を介して濾過器及び熱交換器に流して濾過加熱処理を行って所定温度に調整浄化された浴槽水を前記浴槽内に供給する濾過加熱工程と、（Ｂ）濾過加熱工程に続いて前記浴槽水処理装置内の循環流路に前記熱交換器で所定温度に加熱された浴槽水を前記ポンプ部を介して循環させる加熱循環洗浄工程と、（Ｃ）濾過器に内蔵された濾過材に浴槽内の浴槽水をポンプ部を介して吸引してその一部を前記濾過加熱工程と逆方向から流した後、その残部と合流させて外部に排出させる調温排水逆洗工程と、（Ｄ）調温排水逆洗工程を所定時間実施した後、浴槽水処理装置内の循環流路に貯留された浴槽水をポンプ部を介して循環させる非加熱循環洗浄工程と、（Ｅ）非加熱循環洗浄工程を所定時間実施した後、濾過器に内蔵された濾過材に浴槽内の浴槽水をポンプ部を介して吸引して濾過加熱工程と逆方向から流して外部に排出させる非調温排水逆洗工程と、を有している。このような（Ａ）濾過加熱工程、（Ｂ）加熱循環洗浄工程、（Ｃ）調温排水逆洗工程、（Ｄ）非加熱循環洗浄工程、（Ｅ）非調温排水逆洗工程からなる一連の工程をセットとして実行することにより、各工程において生じるデッドスペース部分をカバーして熱殺菌や洗浄処理を効率的に行うことができ、これによってレジオネラ属菌などの繁殖を抑制して浴槽水の殺菌濾過処理を効率的に行えると共に、調温排水逆洗工程を有するので高温排水の流れ込みによる排水管系統の劣化を防いで低コストでメンテナンスを行うことができる。
【００１８】
（Ａ）濾過加熱工程は、浴槽に貯留された浴槽水を取り出して、これを濾過して所定温度に加熱する工程である。すなわち、浴槽内の浴槽水をポンプ部を介して吸引して、この浴槽水を、濾過材を円筒状容器内に層状に敷きつめて形成した濾過器と、熱交換器に流すことにより、所定温度に加熱された清浄な浴槽水を浴槽内に戻す工程である。
【００１９】
（Ｂ）加熱循環洗浄工程は、前記浴槽と連結する浴槽水の吸引管と供給管とを閉鎖して、前記ポンプ部、濾過器、熱交換器を巡る循環回路を形成して、熱交換器を介して６０〜６５℃に加熱された浴槽水を循環回路に所定時間、例えば１０〜３０分間循環させる工程である。この加熱循環洗浄工程の実施時間が１０分間より短いと殺菌が不十分となる傾向が現れ、逆に３０分より長くしても３０分間の処理でほとんどのレジオネラ属菌などが死滅しているため無駄時間が増えるだけなので好ましくない。
【００２０】
（Ｃ）調温排水逆洗工程は、ポンプ部を介して吸引された浴槽内の比較的低温の浴槽水を所定比率、浴槽水と高温水との比率が７：３となるように分流して高温水で満たされた濾過器に供給して濾過材の逆洗を行う。一方、残部の浴槽水を排水管側で合流させる。これによって外部の配管系に排出される排水温度を調整して排水管系統を保護すると共に、濾過器内の濾過材に前記熱殺菌工程とは逆方向に浴槽水を流して濾過材に堆積付着したゴミや汚物、レジオネラ属菌の死骸などを排水管などを介して外部に排出させることができる。
【００２１】
なお、調温排水逆洗工程においては、この温度調節される排水の温度を５０℃以下として２〜４分間逆洗を行うことが好ましい。これは、排水系統に適用する塩化ビニルなどのプラスチック製パイプ材の種類やその接合強度にもよるが、排水の温度が５０℃を超えると、配管系に熱ひずみなどが生じて水漏れなどのトラブルが発生しやすくなるからである。また、この逆洗時間が２分より短いと濾過材の逆洗が不十分となって安全性が低下する傾向が現れ、逆に４分より長く逆洗してもそれ以上洗浄効果が望めない上に無駄な時間を生じて効率が低下する傾向が現れるので好ましくない。
【００２２】
（Ｄ）非加熱循環洗浄工程は、前記加熱循環洗浄工程における熱交換器を作動させることなく循環流路に溜まった浴槽水を循環させる工程であり、これによって、配管系に過度の熱負荷をかけることなく、配管中の汚れを濾過材に戻すことができる。この非加熱循環洗浄工程は、約２０〜６０秒間行うことが好ましい。
これは各工程における実施時間や洗浄条件などにもよるが、２０秒より短いと配管中の汚れを濾過材に戻す際の確実性が低下し、逆に６０秒を越えて実施してもそれ以上の効果が見込まれず全体の作業時間が長くなって非効率になるからである。
【００２３】
（Ｅ）非調温排水逆洗工程は、ポンプ部で汲み上げられた浴槽水の全量を濾過器の下部に供給して濾過材の上部から排出させることにより、前記非加熱循環洗浄工程で溜まったすべての汚れを系外に排出させる工程である。この非調温排水逆洗工程は約２〜４分間、好ましくは３分程度実施するのが好ましい。この逆洗工程の時間が２分より少ないと汚れの系外への排出が不十分となり、逆に４分を越えると浴槽水が不足してしまう可能性がある。
【００２４】
なお、前記各工程（Ａ）〜（Ｅ）の実施時間や設定温度などの条件は浴槽の使用履歴や、浴槽水の水質、気温などに応じて、適宜設定することができる。そして、これらの設定条件を所定のパターンで切り換える制御プログラムを浴槽水を処理する浴槽水処理装置の制御部などに組み込んでおくことも可能である。
【００２５】
図１は本発明の実施の形態１に係る浴槽水の処理方法が適用される浴槽水処理装置の構成図であり、図２は浴槽水の処理方法のフロー図である。
【００２６】
図１及び図２において、１０は実施の形態１の浴槽水処理装置、１１は浴槽水処理装置１０が適用される浴槽、１２はその吸引口が浴槽１１内に配置された浴槽水の吸引管、１３は吸引管１２を介して浴槽１１内の浴槽水を吸引するためのポンプ部、１４はポンプ部１３から浴槽水が供給され濾過材を内蔵した略円筒容器状の濾過器、１５は濾過器１４から供給される浴槽水を所定温度に加熱するための熱交換器、１６は濾過器１４及び熱交換器１５で処理された浴槽水を浴槽１１に戻すための浴槽水の供給管、１７は吸引管１２の基端側とポンプ部１３の吸水側との間に設けられ浴槽１１から最初に取り込まれた浴槽水から毛髪や垢などの比較的大きなゴミを除去するためのフィルタ部である。
【００２７】
なお、Ｖ１は吸引管１２の浴槽水排出端にその一分岐部が連結されると共に他方の二分岐部に熱交換器１５の下流部と供給管１６とに連結されるバイパス管２０及びフィルタ部１７を備えたポンプ部１３の吸水管２１がそれぞれ接続される第１の電動三方弁、Ｖ２は濾過材が内部に充填された濾過器１４の上部にその一分岐部が連結されると共に他方の二分岐部にポンプ部１３の吐水管２２及び浴槽水を外部に排出する排水管２３がそれぞれ連結される第２の電動三方弁、Ｖ３は濾過器１４の下部にその一分岐部が連結されると共に他方の二分岐部にポンプ部１３の吐水管２２及び熱交換器１５の上流部がそれぞれ連結される第３の電動三方弁、Ｖ４は熱交換器１５の下流部側配管とバイパス管２０との合流部の上部に設けられた空気抜きなどのサイフォンブレーカ、Ｖ５は排水管２３とポンプ部１３の吐水管２２とをそれぞれの分岐部を介して連結する分流配管２４に設けられた電動二方弁などからなる流量調整弁である。
【００２８】
濾過器１４は略円筒状に形成された容器であり、その内部に活性炭や多孔質セラミックスなどの粒子を備えている。この濾過層の下部側及び上部側にはそれぞれパイプ配管が取り付けられ、このパイプ配管の一方側から他方側に向けて浴槽水や洗浄水などを流すことで、濾過処理やその逆洗処理を行うことができる。
【００２９】
熱交換器１５は、高温水や蒸気などを内部に配置したパイプ配管などに流してその周囲を流れる浴槽水と熱交換させるものなどが含まれる。この熱交換器１５に供給する熱媒体の供給流量や投入電力量などを調整することで浴槽水の温度を所定温度に設定できる。
【００３０】
電動三方弁Ｖ１〜Ｖ３は、３方向に分岐した接続口を有して２種の流路モードに切り換えられる装置であって、例えば２つの弁体が設けられた棒状体を進退させてそれぞれの弁体を弁座に離接させて流路を切り換えるものや、流路の形成された軸部を弁部内で回転または回動させることにより流路を切り換えるロータリバルブ式のものなどが適用できる。なお、これらの電動三方弁に換えて、手動式のものが適用できる他に、空気圧アクチュエータを備えた空気圧駆動式のものにも適用できる。
【００３１】
以上のように構成された浴槽水処理装置１０に適用される浴槽水の処理方法を図１及び図２を参照しながらさらに具体的に説明する。
【００３２】
図２（ａ）に示すように浴槽１１に所定温度に加熱された清浄な浴槽水を供給する濾過加熱工程においては、吸引管１２を介して取り込まれた浴槽水を電動三方弁Ｖ１→フィルタ部１７→ポンプ部１３→電動三方弁Ｖ２→濾過器１４→電動三方弁Ｖ３→熱交換器１５→サイフォンブレーカＶ４の経路に通して供給管１６から浴槽１１内に戻す濾過加熱処理が行われる。こうして、浴槽１１内の浴槽水を濾過器１４で清浄に維持すると共に、好みに応じた所定温度に保持させ、快適に使用することができる。なお、この濾過加熱処理におけるポンプ部１３や各三方弁Ｖ１〜Ｖ３、流量調整弁Ｖ５などの制御は図示しない制御部を介して行うことができ、浴室内などに配置した濾過加熱モードを選択するため操作パネル上のスイッチなどを操作することによって制御できる。また、この操作パネルを用いて浴槽水の温度設定や濾過加熱モードを維持するためのタイマー設定などが容易にできるようになっている。
【００３３】
こうして所定時間経過後にタイマー操作や、手動操作により加熱循環洗浄工程に移行させる。
【００３４】
図２（ｂ）に示すように、この加熱循環洗浄工程では、熱交換器１５を作動させると共に吸引管１２を閉鎖して、電動三方弁Ｖ１→フィルタ部１７→電動三方弁Ｖ２→濾過器１４→電動三方弁Ｖ３→熱交換器１５→バイパス管２０→電動三方弁Ｖ１からなる加熱循環流路を形成して、循環流路に貯留された浴槽水を循環させるようにしている。なお、このとき熱交換器１５及び図示しない温度センサなどを用いて、循環される浴槽水の温度を６０〜６５℃になるように制御することができ、これによってさらに確実に循環流路内の熱殺菌を行うことができると共に、エネルギーロスの低減と、配管系が過剰に加熱されることによる耐用性の低下防止が図られる。
【００３５】
図２（ｃ）に示す次の調温排水逆洗工程では、吸水管１２→電動三方弁Ｖ１→ポンプ部１３→電動三方弁Ｖ３→濾過器１４→電動三方弁Ｖ２→排水管２３を主流路として濾過器１４内の濾過材に浴槽水を加熱濾過運転時とは逆方向に流して逆洗浄すると共に、ポンプ部１３→流量調整弁Ｖ５→排水管２３からなる分流配管２４を介してポンプ部１３から吐き出される浴槽水の一部を分流させて、排水管２３に供給される洗浄後の浴槽水の温度が５０℃以上にならないようにしている。これによって、排水配管系が排出される高温水で熱変形するようなことがなく、配管系の耐用性やメンテナンス性を向上させることができる。
【００３６】
図２（ｄ）に示す非加熱循環洗浄工程では、前記加熱循環洗浄工程と同様に吸引管１２を閉鎖すると共に、電動三方弁Ｖ１→フィルタ部１７→電動三方弁Ｖ２→濾過器１４→電動三方弁Ｖ３→熱交換器１５→サイフォンブレーカＶ４→バイパス管２０→電動三方弁Ｖ１からなる非加熱循環流路を形成して、非加熱循環流路に貯留された浴槽水に加熱処理を施すことなく循環させて、配管系に過度の熱負荷をかけることなく、配管中の汚れを濾過材の層に戻すようにしている。
【００３７】
図２（ｅ）に示す非調温排水逆洗工程では、吸水管１２→電動三方弁Ｖ１→ポンプ部１３→電動三方弁Ｖ３→濾過器１４→電動三方弁Ｖ２→排水管２３からなる非調温排水逆洗流路を形成して、濾過器１４内の濾過材に浴槽水を加熱濾過運転時とは逆方向に流して逆洗浄する。これによって、経路内のすべての汚れを排水管２３から排出させることができる。
【００３８】
ここで図３は実際に適用される浴槽水処理装置の一例を示す正面図、図４はその側面図、図５はその平面図である。
【００３９】
図３〜図５において、３０は本実施例の浴槽水処理装置、３１は吸引口が浴槽内に配置された浴槽水吸引管が連接される取水口、３２は浴槽水を配管系に移送するための濾過ポンプ（ポンプ部）、３３は濾過ポンプ３２から浴槽水が供給される略円筒容器状の濾過器、３４は濾過器３３から供給される浴槽水を所定温度に加熱するための熱交換器、３５は濾過器３３及び熱交換器３４で処理された浴槽水を浴槽に戻すための浴槽水供給管が連接される排水口、３６は吸引管の連接部と濾過ポンプ３２の吸水側との間に設けられた毛髪などを除去するためのヘアーキャッチャー（フィルタ部）、３７は必要に応じて浴槽水に殺菌剤などの薬液を注入するための薬注装置、３８は浴槽水処理装置３０の濾過ポンプ３２や各弁部の切り換え操作を行うための操作盤、３９は熱交換器３４の上部のバイパス管３９ａと浴槽水の供給管とが合流する合流部の上部に設けられたサイフォンブレーカ、３９ｂは図示しない供給管が接続される浴槽水の吐水口である。
【００４０】
浴槽水処理装置３０の濾過ポンプ３２の入出部側にはそれぞれチャッキ弁４０、４１が、また、各配管系の所定箇所には圧力計４２や温度センサ４３が設けられている。
【００４１】
熱交換器３４には所定温度に加熱された温水が温水入口３４ａから供給されてその内部で浴槽水を加熱した後、温水出口３４ｂから排出されるようになっている。
【００４２】
さらに、取水口３１とヘアーキャッチャー３６の間には高温洗浄用などに流路を切り換えるための三方弁４４が、また、濾過器３３の上部及び下部にはそれぞれ工程切り換え用の三方弁４５、４６が設けられている。さらに濾過ポンプ３２から吐出される浴槽水の一部を分流させる分流配管には高温水排水用の二方弁４７と流量調節バルブ４８が設けられている。
【００４３】
なお、濾過器３３の上部には逆止弁構造を有する自動エア抜き弁４９が設けられ、濾過器３３の内部圧を一定に保持して、浴槽水処理装置を安定的に作動できるようになっている。
【００４４】
こうして、各三方弁４４〜４６や二方弁４７などを操作することにより、前記各工程を順次切り換えて浴槽水の洗浄処理などを効果的に実施できる。
【００４５】
以上説明したように実施の形態１においては、前記濾過加熱工程、加熱循環洗浄工程、調温排水逆洗工程、非加熱循環洗浄工程、非調温排水逆洗工程からなる一連の工程を所定のパターンで順次繰り返すことで実行され、各工程の切り換えに伴って装置流路内に発生するデッドスペースなどの部分を確実に殺菌処理でき、レジオネラ属菌などの繁殖を効果的に抑制して安全性や衛生性に優れると共に、高温排水で排水管を劣化させることがなくメンテナンス性にも優れている。
【００４６】
（実施の形態２）
図６は実施の形態２の浴槽水処理装置の構成図である。
【００４７】
図６において、５０は実施の形態２の浴槽水処理装置、５１は電動三方弁Ｖ１〜Ｖ３及び流量調整弁Ｖ５のそれぞれの連通状態やポンプ部１３を制御して後述する濾過加熱運転モード、高温洗浄運転モード、逆洗運転モードなどの運転モードを設定して所定パターンで切り換えることのできる制御部である。
【００４８】
なお、実施の形態２の浴槽水処理装置５０は、電動三方弁やポンプ部１３などを制御して所定パターンで運転モードを切り換える制御部５１を有する点と、ポンプ部１３の吐水管２２と浴槽水を排出する排水管２３とを連結する分流配管を省略している点とで実施の形態１のものと異なっている。以下の説明においては、実施の形態１と同様の機能を有するものについては同一の符号を付してその詳しい説明を省略する。
【００４９】
制御部５１はシーケンサ回路やマイクロコンピュータなどを備えた制御装置である。この制御部５１に予めロードされた制御プログムに従って作動され、浴槽内の浴槽水の温度を検知する図示しない温度センサや内蔵されたタイマーなどのデータを取得して、電動三方弁Ｖ１〜Ｖ３、ポンプ部１３などを制御して、各運転モードに対応した所定の流路を所定のパターンで順次形成させるようになっている。
【００５０】
図７は浴槽水処理装置５０を制御部５１を用いて稼働させる浴槽水の処理方法の一例を示すフロー図である。以下、図７を参照しながらこの浴槽水の処理方法について説明する。
【００５１】
この浴槽水の処理法においては、図示するように（ａ）濾過加熱工程、（ｂ）高温洗浄工程、（ｃ）逆洗工程からなる以下の３種の運転モードが設定され、これらを所定パターン例えば（ａ）→（ｂ）→（ｃ）→（ｂ）→（ｃ）のように順次切り換えて浴槽水処理装置５０を作動させるようになっている。
（ａ）濾過加熱工程は、吸引管１２→電動三方弁Ｖ１→フィルタ部１７→ポンプ部１３→電動三方弁Ｖ２→濾過器１４→電動三方弁Ｖ３→熱交換器１５→サイフォンブレーカＶ４→供給管１６からなる濾過流路を形成して、浴槽１１から汲み上げられた浴槽水を濾過器１４で濾過すると共に、熱交換器１５で浴槽水を所定温度に加熱して浴槽１１に循環させる運転モードである。
（ｂ）高温洗浄工程は、電動三方弁Ｖ１→フィルタ部１７→ポンプ部１３→電動三方弁Ｖ２→濾過器１４→電動三方弁Ｖ３→熱交換器１５→バイパス管２０を通って電動三方弁Ｖ１に至る循環流路を形成して、熱交換器１５で加熱された浴槽水で流路内を高温殺菌する運転モードである。
（ｃ）逆洗工程は、吸引管１２→電動三方弁Ｖ１→フィルタ部１７→ポンプ部１３→電動三方弁Ｖ３→濾過器１４→電動三方弁Ｖ２→排水管２３からなる逆洗流路を形成して、浴槽１１から汲み上げられた浴槽水を濾過加熱工程とは逆方向に濾過器１４に流すことにより濾過材などに堆積付着した汚れを外部に洗い流して排出させる運転モードである。
【００５２】
このようにこれらの各運転モードを制御部５１を介して所定パターンで順次切り換えることによって、各運転モードにおける流路の淀み部分などを確実に洗浄殺菌することができる。こうして、実施の形態２の浴槽水処理装置５０によれば、２４時間に渡って使用される浴槽などにおけるレジオネラ属菌などによる感染を防止して安全性と衛生性に優れると共に、常時快適に浴槽１１を使用することができる。
【００５３】
【発明の効果】
請求項１記載の発明によれば、各工程の切り換え時に生じる装置流路内のデッドスペース部分の汚れた高温水を排出して、濾過器などの装置流路内に増殖したレジオネラ菌等の高温殺菌を効率的に行うことができる。また、調温排水逆先工程を有するので、高温排水の流れ込みによる排水管の変形や脱落などのトラブルがなくメンテナンス性に優れている。
【００５４】
請求項２記載の発明によれば、簡単な構造の電動三方弁を用いて全体の制御を容易に行うことができると共に、動作安定性と信頼性に優れた浴槽水の処理装置を提供できる。
【００５５】
請求項３記載の発明によれば、請求項２に記載の浴槽水処理装置において、分流配管を介して浴槽水の一部を所定比率で分流させて濾過器に流すことができ、排水管から排出される排水温度を調整でき、排水配管系が高温水で熱変形するのを防止して、そのメンテナンスを容易にできる。
【００５６】
請求項４記載の発明によれば、請求項２又は３に記載の浴槽水処理装置において、制御部にロードされた制御プログラムにしたがって、所定の手順で各運転モードを切り換えることにより、各運転モードにおいて流路内に生じる淀み部分にも加熱された浴槽水を適正に流すことができ、さらに効率的に流路内の洗浄や殺菌を行うことができる。
【００５７】
請求項５記載の発明によれば、請求項２〜４の内いずれか１項に記載の浴槽水処理装置において、濾過器に逆止弁構造を有する自動エア抜き弁が設けられているので、浴槽が濾過器より下部にある場合やポンプ部の圧力などが変動する場合であっても、濾過器の内部圧を一定に保持して、浴槽水処理装置を安定的に作動させることができる。
【図面の簡単な説明】
【図１】実施の形態１の浴槽水処理装置の構成図である。
【図２】実施の形態１の浴槽水の処理方法のフロー図である。
【図３】実施例に係る浴槽水処理装置の正面図である。
【図４】その側面図である。
【図５】その平面図である。
【図６】実施の形態２の浴槽水処理装置の構成図である。
【図７】実施の形態２の浴槽水の処理方法のフロー図である。
【符号の説明】
１０  実施の形態１の浴槽水処理装置
１１  浴槽
１２  吸引管
１３  ポンプ部
１４  濾過器
１５  熱交換器
１６  供給管
１７  フィルタ部
２０  バイパス管
２１  吸水管
２２  吐水管
２３  排水管
２４  分流配管
３０  浴槽水処理装置
３１  取水口
３２  濾過ポンプ（ポンプ部）
３３  濾過器
３４  熱交換器
３４ａ  温水入口
３４ｂ  温水出口
３５  排水口
３６  ヘアーキャッチャー（フィルタ部）
３７  薬注装置
３８  操作盤
３９  サイフォンブレーカ
３９ａ  バイパス管
３９ｂ  吐水口
４０、４１  チャッキ弁
４２  圧力計
４３  温度センサ
４４、４５、４６  三方弁
４７  二方弁
４８  流量調節バルブ
４９  自動エア抜き弁
５０  実施の形態２の浴槽水処理装置
５１  制御部
Ｖ１〜Ｖ３  電動三方弁
Ｖ４  サイフォンブレーカ
Ｖ５  流量調整弁
【図１】
2004209446.tif 000003
【図２】
2004209446.tif 000004
【図３】
2004209446.tif 000005
【図４】
2004209446.tif 000006
【図５】
2004209446.tif 000007
【図６】
2004209446.tif 000008
【図７】
2004209446.tif 000009